(57)【要約】【課題】画像表示パネルの高解像度化に対応する。【解決手段】表示装置１０は、画像表示パネル４０と、第１の画像出力信号を出力する第１の信号出力部３１と、第２の画像出力信号を出力する第２の信号出力部３２と、入力信号の入力値を再現色空間の再現値に変換して生成し、生成した信号の一部を第１の画像処理信号として第１の信号出力部３１に出力し、生成した信号の他の一部を第２の画像処理信号として第２の信号出力部３２に出力する信号処理部２１と、を有し、信号処理部２１は、伸長係数を決定し、第１から第４副画素用の信号を算出し、算出した第１から第４副画素用の信号を第１の画像処理信号又は第２の画像処理信号として出力し、第１の信号出力部３１は、第１の画像処理信号に基づいて第１の画像出力信号を出力し、第２の信号出力部３２は、第２の画像処理信号に基づいて第２の画像出力信号を出力する。【選択図】図１
2015210445.tif 000002
【特許請求の範囲】
【請求項１】
第１の色を表示する第１副画素、第２の色を表示する第２副画素、第３の色を表示する第３副画素及び第４の色を表示する第４副画素を含む画素が２次元マトリクス状に配列された画像表示パネルと、
前記画像表示パネルの分割された領域のいずれかに対応し、前記画像表示パネルの対応する領域に画像表示のための第１の画像出力信号を出力する第１の信号出力部と、
前記画像表示パネルの分割された領域のいずれかであって前記第１の信号出力部が対応する領域以外の領域に対応し、前記画像表示パネルの対応する領域に画像表示のための第２の画像出力信号を出力する第２の信号出力部と、
入力信号の入力値を、前記第１の色、前記第２の色、前記第３の色及び前記第４の色で再現される色空間の再現値に変換して生成し、生成した信号の一部を第１の画像処理信号として前記第１の信号出力部に出力し、前記生成した信号の他の一部を第２の画像処理信号として前記第２の信号出力部に出力する信号処理部と、を有し、
前記信号処理部は、前記画像表示パネル全体に関する伸長係数を決定し、
少なくとも前記第１副画素の入力信号及び前記伸長係数に基づいて前記第１副画素用の信号を算出し、
少なくとも前記第２副画素の入力信号及び前記伸長係数に基づいて前記第２副画素用の信号を算出し、
少なくとも前記第３副画素の入力信号及び前記伸長係数に基づいて前記第３副画素用の信号を算出し、
前記第１副画素の入力信号、前記第２副画素の入力信号及び前記第３副画素の入力信号に基づいて前記第４副画素用の信号を算出し、
算出した前記第１副画素用の信号、前記第２副画素用の信号、前記第３副画素用の信号及び前記第４副画素用の信号を前記第１の画像処理信号又は前記第２の画像処理信号として出力し、
前記第１の信号出力部は、前記第１の画像処理信号に基づいて前記第１の画像出力信号を出力し、
前記第２の信号出力部は、前記第２の画像処理信号に基づいて前記第２の画像出力信号を出力する、表示装置。
【請求項２】
前記信号処理部は、前記第１副画素用の信号、前記第２副画素用の信号、前記第３副画素用の信号及び前記第４副画素用の信号のデータを圧縮するデータ圧縮部を有し、前記データ圧縮部により圧縮された信号の一部を前記第１の画像処理信号として出力し、前記データ圧縮部により圧縮された信号の他の一部を前記第２の画像処理信号として出力し、
前記第１の信号出力部は、前記第１の画像処理信号の圧縮されたデータを展開する第１のデータ展開部を有し、前記第１のデータ展開部により展開された信号を前記第１の画像出力信号として前記画像表示パネルに出力し、
前記第２の信号出力部は、前記第２の画像処理信号の圧縮されたデータを展開する第２のデータ展開部を有し、前記第２のデータ展開部により展開された信号を前記第２の画像出力信号として前記画像表示パネルに出力する、請求項１に記載の表示装置。
【請求項３】
前記信号処理部は、前記第１副画素用の信号、前記第２副画素用の信号及び前記第３副画素用の信号のデータの少なくとも一つを圧縮して圧縮画像処理信号とするデータ圧縮部を有し、前記圧縮画像処理信号と前記第４副画素用の信号との一部を互いに分離させたまま前記第１の画像処理信号として出力し、前記圧縮画像処理信号と前記第４副画素用の信号との他の一部を互いに分離させたまま前記第２の画像処理信号として出力し、
前記第１の信号出力部は、前記第１の画像処理信号に含まれる前記圧縮画像処理信号のデータを展開する第１のデータ展開部を有し、前記第１のデータ展開部により展開された信号と前記第１の画像処理信号に含まれる前記第４副画素用の信号とを統合させて前記第１の画像出力信号として前記画像表示パネルに出力し、
前記第２の信号出力部は、前記第２の画像処理信号に含まれる前記圧縮信号のデータを展開する第２のデータ展開部を有し、前記第２のデータ展開部により展開された信号と前記第２の画像処理信号に含まれる前記第４副画素用の信号とを統合させて前記第２の画像出力信号として前記画像表示パネルに出力する、請求項１に記載の表示装置。
【請求項４】
前記第４の色は白色である、請求項１から請求項３のいずれか１項に記載の表示装置。
【請求項５】
請求項１から請求項３のいずれか１項に記載の表示装置と、
前記表示装置に前記入力信号を供給する制御装置と、を有する電子機器。
【請求項６】
請求項４に記載の表示装置と、
前記表示装置に前記入力信号を供給する制御装置と、を有する電子機器。
【請求項７】
第１の色を表示する第１副画素、第２の色を表示する第２副画素、第３の色を表示する第３副画素及び第４の色を表示する第４副画素を含む画素が２次元マトリクス状に配列された画像表示パネルと、前記画像表示パネルの分割された領域のいずれかに対応し、前記画像表示パネルの対応する領域に画像表示のための第１の画像出力信号を出力する第１の信号出力部と、前記画像表示パネルの分割された領域のいずれかであって前記第１の信号出力部が対応する領域以外の領域に対応し、前記画像表示パネルの対応する領域に画像表示のための第２の画像出力信号を出力する第２の信号出力部と、入力信号の入力値を、前記第１の色、前記第２の色、前記第３の色及び前記第４の色で再現される色空間の再現値に変換して生成し、生成した信号の一部を第１の画像処理信号として前記第１の信号出力部に出力し、生成した信号の他の一部を第２の画像処理信号として前記第２の信号出力部に出力する信号処理部と、を有する表示装置の駆動方法であって、
前記信号処理部が、前記画像表示パネル全体に関する伸長係数を決定するステップと、
前記信号処理部が、少なくとも前記第１副画素の入力信号及び前記伸長係数に基づいて前記第１副画素用の信号を算出し、少なくとも前記第２副画素の入力信号及び前記伸長係数に基づいて前記第２副画素用の信号を算出し、少なくとも前記第３副画素の入力信号及び前記伸長係数に基づいて前記第３副画素用の信号を算出し、前記第１副画素の入力信号、前記第２副画素の入力信号及び前記第３副画素の入力信号に基づいて前記第４副画素用の信号を算出するステップと、
前記信号処理部が、前記算出した前記第１副画素用の信号、前記第２副画素用の信号、前記第３副画素用の信号及び前記第４副画素用の信号を、前記第１の画像処理信号及び前記第２の画像処理信号として出力するステップと、
前記第１の信号出力部が前記第１の画像処理信号に基づいて前記第１の画像出力信号を出力し、前記第２の信号出力部が前記第２の画像処理信号に基づいて前記第２の画像出力信号を出力するステップと、を有する表示装置の駆動方法。
【請求項８】
第１の色を表示する第１副画素、第２の色を表示する第２副画素、第３の色を表示する第３副画素及び第４の色を表示する第４副画素を含む画素が２次元マトリクス状に配列された画像表示パネルの分割された領域のいずれかに対応し前記画像表示パネルの対応する領域に画像表示のための第１の画像出力信号を出力する第１の信号出力部に、入力信号の入力値を前記第１の色、前記第２の色、前記第３の色及び前記第４の色で再現される色空間の再現値に変換して生成した信号の一部を前記第１の画像出力信号を出力するための第１の画像処理信号として出力し、前記画像表示パネルの分割された領域のいずれかであって前記第１の信号出力部が対応する領域以外の領域に対応し前記画像表示パネルの対応する領域に画像表示のための第２の画像出力信号を出力する第２の信号出力部に、前記生成した信号の他の一部を前記第２の画像出力信号を出力するための第２の画像処理信号として出力する信号処理回路であって、
前記画像表示パネル全体に関する伸長係数を決定し、
少なくとも前記第１副画素の入力信号及び前記伸長係数に基づいて前記第１副画素用の信号を算出し、
少なくとも前記第２副画素の入力信号及び前記伸長係数に基づいて前記第２副画素用の信号を算出し、
少なくとも前記第３副画素の入力信号及び前記伸長係数に基づいて前記第３副画素用の信号を算出し、
前記第１副画素の入力信号、前記第２副画素の入力信号及び前記第３副画素の入力信号に基づいて前記第４副画素用の信号を算出し、
算出した前記第１副画素用の信号、前記第２副画素用の信号、前記第３副画素用の信号及び前記第４副画素用の信号を前記第１の画像処理信号及び前記第２の画像処理信号として出力する、信号処理回路。
【発明の詳細な説明】
【技術分野】
【０００１】
本発明は、表示装置及びその駆動方法に関する。また、本発明は、上記の表示装置を備えた電子機器に関する。また、本発明は、上記の表示装置での信号処理回路に関する。
【背景技術】
【０００２】
近年、携帯電話や電子ペーパーなどのモバイル機器向け等の表示装置の需要が高くなっている。表示装置では、１つの画素が複数の副画素を備え、当該複数の副画素がそれぞれ異なる色の光を出力し、当該副画素の表示のＯＮ、ＯＦＦを切り換えることで、１つの画素で種々の色を表示させている。このような表示装置には、白色を含む４つの副画素を１つの画素とするものがある（特許文献１及び２参照）。
【０００３】
特許文献１には、第１、第２、第３及び第４副画素から構成された画素が、２次元マトリクス状に配列されて成る画像表示パネルと、入力信号が入力され、出力信号を出力する信号処理部とを備えた表示装置が記載されている。表示装置は、３原色に第４の色を加えることでＨＳＶ色空間を３原色の場合よりも拡大することができる。信号処理部は、彩度Ｓを変数とした明度の最大値Ｖｍａｘ（Ｓ）を記憶しており、入力信号の信号値に基づき彩度Ｓ及び明度Ｖ（Ｓ）を求め、Ｖｍａｘ（Ｓ）／Ｖ（Ｓ）の値の内の少なくとも１つの値に基づいて伸長係数α０を求め、第４副画素への出力信号値を、少なくとも第１、第２及び第３副画素への入力信号値に基づき求め、第１、第２及び第３副画素への出力信号値を、入力信号値、伸長係数α０、及び、第４出力信号値に基づき算出する。
【０００４】
また、特許文献２には、赤、緑、青のカラーフィルタを有する副画素と、白色の光の透過を制御するための副画素とを有する複数の画素が設けられた表示パネルと、赤、緑、青、及び白の光源を有するバックライト部と、表示パネルを動画モードで表示するか、又は静止画モードで表示するかを切り換える画像切替回路と、動画モードでは画像信号に応じてバックライト部の赤、緑、青の輝度の制御をし、静止画モードでは画像信号に応じてバックライト部の白の光源の輝度の制御をする表示制御回路と、を有する表示装置が記載されている。
【０００５】
特許文献１及び２に示すように複数の副画素のうち、画像信号に基づいて、１つの副画素（基本的には白の副画素）で拡張したＨＳＶ領域に対応させて、画像信号を伸長させることで、光源の光量を低下させて、所望の画像を再現することができる。また、光源の光量を大きくせずに画像を明るくすることができる。
【先行技術文献】
【特許文献】
【０００６】
【特許文献１】特開２０１０−３３００９号公報
【特許文献２】特開２０１１−２４８３５２号公報
【特許文献３】特開２０１２−１２８３７６号公報
【発明の概要】
【発明が解決しようとする課題】
【０００７】
ところで、近年、画像表示パネルの高解像度化（高画素数化）が急速に進展している。例えば、スマートフォンでは、フルＨＤ（１９２０×１０８０ピクセル）の画像表示パネルが用いられるようになってきており、タブレットでは、それを超える解像度の画像表示パネルが用いられるようになってきている。画像表示パネルの画素数が多くなると、ＨＳＶ領域を拡張させて画像信号を伸長させる処理負荷が大きくなる。そのため、画像表示パネルの高解像度化に十分に対応できなくなる可能性がある。
【０００８】
また、画像表示パネルの画素数が多くなると、画像処理を行う半導体集積回路のピン数を多くすることが必要になってくる。しかしながら、半導体集積回路のピン数には、製造上、実装上の制約があるので、画像表示パネルの高解像度化に十分に対応できなくなる可能性がある。
【０００９】
なお、特許文献３には、複数の液晶画素を有する液晶パネルと複数のデータ駆動部と複数のタイミングコントローラとを備え、前記複数の液晶画素は、複数のブロックのいずれかに属し、前記複数のデータ駆動部のそれぞれは、前記複数のいずれかのブロックに対応し、前記ブロックに属する液晶画素の光の透過率を制御し、前記複数のタイミングコントローラのそれぞれは、前記複数のデータ駆動部のいずれかに対応し、前記対応するデータ駆動部が対応するブロックに表示される部分画像のデータを取得して、前記対応するデータ駆動部が対応するブロックに属する液晶画素の光の透過率を制御するための制御データを前記対応するデータ駆動部に出力することを特徴とする表示装置が記載されている。しかしながら、特許文献１及び２のようにＨＳＶ領域を拡張させる場合には、液晶パネルに含まれる複数の画素全体を考慮してＨＳＶ領域を拡張することが好ましいが、特許文献３ではこの点に関して記載されていない。
【００１０】
本発明はかかる問題点に鑑みてなされたもので、その目的は、画像表示パネルの高解像度化に対応することが可能な表示装置、電子機器、表示装置の駆動方法及び信号処理回路を提供することにある。
【課題を解決するための手段】
【００１１】
上述した課題を解決し、目的を達成するために、本発明の一態様の表示装置は、第１の色を表示する第１副画素、第２の色を表示する第２副画素、第３の色を表示する第３副画素及び第４の色を表示する第４副画素を含む画素が２次元マトリクス状に配列された画像表示パネルと、前記画像表示パネルの分割された領域のいずれかに対応し、前記画像表示パネルの対応する領域に画像表示のための第１の画像出力信号を出力する第１の信号出力部と、前記画像表示パネルの分割された領域のいずれかであって前記第１の信号出力部が対応する領域以外の領域に対応し、前記画像表示パネルの対応する領域に画像表示のための第２の画像出力信号を出力する第２の信号出力部と、入力信号の入力値を、前記第１の色、前記第２の色、前記第３の色及び前記第４の色で再現される色空間の再現値に変換して生成し、生成した信号の一部を第１の画像処理信号として前記第１の信号出力部に出力し、前記生成した信号の他の一部を第２の画像処理信号として前記第２の信号出力部に出力する信号処理部と、を有し、前記信号処理部は、前記画像表示パネル全体に関する伸長係数を決定し、少なくとも前記第１副画素の入力信号及び前記伸長係数に基づいて前記第１副画素用の信号を算出し、少なくとも前記第２副画素の入力信号及び前記伸長係数に基づいて前記第２副画素用の信号を算出し、少なくとも前記第３副画素の入力信号及び前記伸長係数に基づいて前記第３副画素用の信号を算出し、前記第１副画素の入力信号、前記第２副画素の入力信号及び前記第３副画素の入力信号に基づいて前記第４副画素用の信号を算出し、算出した前記第１副画素用の信号、前記第２副画素用の信号、前記第３副画素用の信号及び前記第４副画素用の信号を前記第１の画像処理信号及び前記第２の画像処理信号として出力し、前記第１の信号出力部は、前記第１の画像処理信号に基づいて前記第１の画像出力信号を出力し、前記第２の信号出力部は、前記第２の画像処理信号に基づいて前記第２の画像出力信号を出力する。
【００１２】
本発明の一態様の電子機器は、前記表示装置と、前記表示装置に前記入力信号を供給する制御装置と、を有する。
【００１３】
本発明の一態様の表示装置の駆動方法は、第１の色を表示する第１副画素、第２の色を表示する第２副画素、第３の色を表示する第３副画素及び第４の色を表示する第４副画素を含む画素が２次元マトリクス状に配列された画像表示パネルと、前記画像表示パネルの分割された領域のいずれかに対応し、前記画像表示パネルの対応する領域に画像表示のための第１の画像出力信号を出力する第１の信号出力部と、前記画像表示パネルの分割された領域のいずれかであって前記第１の信号出力部が対応する領域以外の領域に対応し、前記画像表示パネルの対応する領域に画像表示のための第２の画像出力信号を出力する第２の信号出力部と、入力信号の入力値を、前記第１の色、前記第２の色、前記第３の色及び前記第４の色で再現される色空間の再現値に変換して生成し、生成した信号の一部を第１の画像処理信号として前記第１の信号出力部に出力し、生成した信号の他の一部を第２の画像処理信号として前記第２の信号出力部に出力する信号処理部と、を有する表示装置の駆動方法であって、前記信号処理部が、前記画像表示パネル全体に関する伸長係数を決定するステップと、前記信号処理部が、少なくとも前記第１副画素の入力信号及び前記伸長係数に基づいて前記第１副画素用の信号を算出し、少なくとも前記第２副画素の入力信号及び前記伸長係数に基づいて前記第２副画素用の信号を算出し、少なくとも前記第３副画素の入力信号及び前記伸長係数に基づいて前記第３副画素用の信号を算出し、前記第１副画素の入力信号、前記第２副画素の入力信号及び前記第３副画素の入力信号に基づいて前記第４副画素用の信号を算出するステップと、前記信号処理部が、前記算出した前記第１副画素用の信号、前記第２副画素用の信号、前記第３副画素用の信号及び前記第４副画素用の信号を、前記第１の画像処理信号及び前記第２の画像処理信号として出力するステップと、前記第１の信号出力部が前記第１の画像処理信号に基づいて前記第１の画像出力信号を出力し、前記第２の信号出力部が前記第２の画像処理信号に基づいて前記第２の画像出力信号を出力するステップと、を有する。
【００１４】
本発明の一態様の信号処理回路は、第１の色を表示する第１副画素、第２の色を表示する第２副画素、第３の色を表示する第３副画素及び第４の色を表示する第４副画素を含む画素が２次元マトリクス状に配列された画像表示パネルの分割された領域のいずれかに対応し前記画像表示パネルの対応する領域に画像表示のための第１の画像出力信号を出力する第１の信号出力部に、入力信号の入力値を前記第１の色、前記第２の色、前記第３の色及び前記第４の色で再現される色空間の再現値に変換して生成した信号の一部を前記第１の画像出力信号を出力するための第１の画像処理信号として出力し、前記画像表示パネルの分割された領域のいずれかであって前記第１の信号出力部が対応する領域以外の領域に対応し前記画像表示パネルの対応する領域に画像表示のための第２の画像出力信号を出力する第２の信号出力部に、前記生成した信号の他の一部を前記第２の画像出力信号を出力するための第２の画像処理信号として出力する信号処理回路であって、前記画像表示パネル全体に関する伸長係数を決定し、少なくとも前記第１副画素の入力信号及び前記伸長係数に基づいて前記第１副画素用の信号を算出し、少なくとも前記第２副画素の入力信号及び前記伸長係数に基づいて前記第２副画素用の信号を算出し、少なくとも前記第３副画素の入力信号及び前記伸長係数に基づいて前記第３副画素用の信号を算出し、前記第１副画素の入力信号、前記第２副画素の入力信号及び前記第３副画素の入力信号に基づいて前記第４副画素用の信号を算出し、算出した前記第１副画素用の信号、前記第２副画素用の信号、前記第３副画素用の信号及び前記第４副画素用の信号を前記第１の画像処理信号及び前記第２の画像処理信号として出力する。
【図面の簡単な説明】
【００１５】
【図１】図１は、本発明の実施形態１に係る表示装置の構成の一例を示すブロック図である。
【図２】図２は、図１の表示装置における画像表示パネル及び画像表示パネル駆動部の概念図である。
【図３】図３は、実施形態１に係る信号処理部の構成の概要を示す模式図である。
【図４】図４は、画像表示パネルの概略平面図である。
【図５】図５は、実施形態１の表示装置で再現可能な再現ＨＳＶ色空間の概念図である。
【図６】図６は、再現ＨＳＶ色空間の色相と彩度との関係を示す概念図である。
【図７】図７は、実施形態１に係る表示装置の処理動作の一例を示すフローチャートである。
【図８】図８は、実施形態２に係る信号処理部と第１の信号出力部と第２の信号出力部との構成の概要を示す模式図である。
【図９】図９は、実施形態２に係る表示装置の処理動作の一例を示すフローチャートである。
【図１０】図１０は、実施形態３に係る信号処理部と第１の信号出力部と第２の信号出力部との構成の概要を示す模式図である。
【図１１】図１１は、実施形態３に係る表示装置の処理動作の一例を示すフローチャートである。
【図１２】図１２は、実施形態１に係る表示装置を備えた電子機器の一例を示す図である。
【図１３】図１３は、実施形態１に係る表示装置を備えた電子機器の一例を示す図である。
【図１４】図１４は、実施形態１に係る表示装置を備えた電子機器の一例を示す図である。
【図１５】図１５は、実施形態１に係る表示装置を備えた電子機器の一例を示す図である。
【図１６】図１６は、実施形態１に係る表示装置を備えた電子機器の一例を示す図である。
【図１７】図１７は、実施形態１に係る表示装置を備えた電子機器の一例を示す図である。
【図１８】図１８は、実施形態１に係る表示装置を備えた電子機器の一例を示す図である。
【図１９】図１９は、実施形態１に係る表示装置を備えた電子機器の一例を示す図である。
【図２０】図２０は、実施形態１に係る表示装置を備えた電子機器の一例を示す図である。
【図２１】図２１は、実施形態１に係る表示装置を備えた電子機器の一例を示す図である。
【図２２】図２２は、実施形態１に係る表示装置を備えた電子機器の一例を示す図である。
【図２３】図２３は、実施形態１に係る表示装置を備えた電子機器の一例を示す図である。
【図２４】図２４は、実施形態１に係る表示装置を備えた電子機器の一例を示す図である。
【図２５】図２５は、実施形態１に係る表示装置を備えた電子機器の一例を示す図である。
【発明を実施するための形態】
【００１６】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【００１７】
（実施形態１）
（表示装置の構成）
図１は、本発明の実施形態１に係る表示装置の構成の一例を示すブロック図である。図２は、図１の表示装置における画像表示パネル及び画像表示パネル駆動部の概念図である。図１に示すように、実施形態１の表示装置１０は、信号処理部２１と、画像表示パネル駆動部３０と、画像表示パネル４０と、面状光源装置制御部５０と、面状光源装置６０とを有する。表示装置１０は、信号処理部２１が表示装置１０の各部に信号を送り、画像表示パネル駆動部３０が信号処理部２１からの信号に基づいて画像表示パネル４０の駆動を制御し、画像表示パネルが画像表示パネル駆動部３０からの信号に基づいて画像を表示させ、面状光源装置制御部５０が、信号処理部２１からの信号に基づいて面状光源装置６０の駆動を制御し、面状光源装置６０が面状光源装置制御部５０の信号に基づいて画像表示パネル４０を背面から照明することにより、画像を表示する。なお、表示装置１０は、特開２０１１−１５４３２３号公報に記載されている画像表示装置組立体と同様の構成であり、特開２０１１−１５４３２３号公報に記載されている各種変形例が適用可能である。
【００１８】
画像表示パネル４０は、図２に示すように、第１原色（例えば、赤色）を表示する第１副画素４９Ｒ、第２原色（例えば、緑色）を表示する第２副画素４９Ｇ、第３原色（例えば、青色）を表示する第３副画素４９Ｂ、及び、第４の色（本実施形態では、例えば白色）を表示する第４副画素４９Ｗを含む画素４８が、Ｐ０×Ｑ０個（行方向にＰ０個、列方向にＱ０個）、２次元のマトリクス状（行列状）に配列されている。図２に示す例は、ＸＹの２次元座標系に複数の画素４８がマトリクス状に配列されている例を示している。この例において、行方向がＸ方向、列方向はＹ方向である。図２において、Ｘ方向に沿って右側に向かってＰ０番目であって、Ｙ方向に沿って下側に向かってＱ０番目の画素４８は、（Ｐ０，Ｑ０）と記載されている。
【００１９】
実施形態１の表示装置１０は、より具体的には、透過型のカラー液晶表示装置である。画像表示パネル４０は、カラー液晶表示パネルであり、第１副画素４９Ｒと画像観察者との間に第１原色を通過させる第１カラーフィルタが配置され、第２副画素４９Ｇと画像観察者との間に第２原色を通過させる第２カラーフィルタが配置され、第３副画素４９Ｂと画像観察者との間に第３原色を通過させる第３カラーフィルタが配置されている。また、画像表示パネル４０は、第４副画素４９Ｗと画像観察者との間にカラーフィルタが配置されていない。ここで、第４副画素４９Ｗには、カラーフィルタの代わりに透明な樹脂層が備えられていても良い。このように画像表示パネル４０は、透明な樹脂層を設けることで、第４副画素４９Ｗにカラーフィルタを設けないことによって第４副画素４９Ｗに大きな段差が生じることを防止することができる。
【００２０】
そして、画像表示パネル４０は、図２に示す例では、第１副画素４９Ｒ、第２副画素４９Ｇ、第３副画素４９Ｂ及び第４副画素４９Ｗをストライプ配列に類似した配列にて配置されている。なお、１つの画素に含まれる副画素の構成及びその配置は、特に限定されない。画像表示パネル４０が、第１副画素４９Ｒ、第２副画素４９Ｇ、第３副画素４９Ｂ及び第４副画素４９Ｗをダイアゴナル配列（モザイク配列）に類似した配列で配置しても良い。また、例えば、デルタ配列（トライアングル配列）に類似した配列、レクタングル配列に類似した配列等としても良い。一般的には、ストライプ配列に類似した配列は、パーソナルコンピュータ等においてデータや文字列を表示するのに好適である。これに対して、モザイク配列に類似した配列は、ビデオカメラレコーダやデジタルスチルカメラ等において自然画を表示するのに好適である。
【００２１】
再び図１を参照すると、信号処理部２１は、画像表示パネル駆動部３０及び面状光源装置制御部５０を介して、画像表示パネル４０及び面状光源装置６０の動作を制御する演算処理回路である。信号処理部２１は、画像表示パネル駆動部３０及び面状光源装置制御部５０と接続されている。
【００２２】
信号処理部２１は、外部のアプリケーションプロセッサ（ホストＣＰＵ、図示せず）から入力される入力信号を処理して第１の画像処理信号、第２の画像処理信号及び面状光源装置制御信号を生成する。信号処理部２１は、入力信号の入力値を、第１の色、第２の色、第３の色及び第４の色で再現される再現色空間（本実施形態では、ＨＳＶ色空間）の再現値（画像処理信号）に変換して生成する。そして、信号処理部２１は、生成した画像処理信号を画像表示パネル駆動部３０に出力する。また、信号処理部２１は、生成した面状光源装置制御信号を面状光源装置制御部５０に出力する。本実施形態において、再現色空間はＨＳＶ色空間であるが、これに限られずＸＹＺ色空間、ＹＵＶ空間その他の座標系でもよい。
【００２３】
図３は、実施形態１に係る信号処理部の構成の概要を示す模式図である。図３に示すように、信号処理部２１は、入力部７１と、信号生成部８１と、出力部９１とを有する。
【００２４】
入力部７１は、入力信号圧縮部７３と、ＲＡＭ７５と、入力信号展開部７７とを有する。入力信号圧縮部７３は、入力部７１に入力された入力信号のデータを圧縮する。ＲＡＭ７５は、例えばＲＡＭ（Random  Access  Memory）である。ＲＡＭ７５は、信号生成部８１が入力信号を処理するために、入力信号圧縮部７３に圧縮された入力信号のデータを一旦記憶する。入力信号展開部７７は、入力信号圧縮部７３にて圧縮されたフォーマットに従い、ＲＡＭ７５に保存された圧縮された入力信号のデータを展開する。なお、入力信号圧縮部７３による入力信号の圧縮フォーマットは、特開２００７−１０８４３９号公報に記載されている圧縮フォーマットと同様の構成である。ただし、入力信号圧縮部７３により入力信号の圧縮フォーマットは、入力信号をＲＡＭ７５に一旦記憶させることが可能なものであればこれに限られない。また、本実施形態において、入力部７１は、入力信号圧縮部７３と、ＲＡＭ７５と、入力信号展開部７７とを有していたが、入力信号が入力されるものであれば、これに限られない。例えば、入力部７１は、データを圧縮せずに、ＲＡＭ７５のみを有していてもよい。
【００２５】
信号生成部８１は、入力信号展開部７７が展開した入力信号を読み出して、画像処理信号を生成する。信号生成部８１は、α算出部８３と、伸長処理部８５とを有する。α算出部８３は、伸長係数αを算出する。また、α算出部８３は、１／αを算出する。伸長係数αの算出処理については、後述する。
【００２６】
伸長処理部８５は、α算出部８３で算出されたαを用いて、入力信号展開部７７が展開した入力信号の伸長処理を行う。すなわち、伸長処理部８５は、入力信号の入力ＨＳＶ色空間の入力値（入力信号）を、再現ＨＳＶ色空間の再現値（画像処理信号）に変換して、画像表示信号を生成する。伸長処理については、後述する。
【００２７】
出力部９１は、信号生成部８１が生成した画像処理信号を、第１の画像処理信号と第２の画像処理信号とのいずれかに分類して、画像表示パネル駆動部３０に出力する。
【００２８】
再び図１及び図２を参照すると、画像表示パネル駆動部３０は、第１の信号出力部３１と、第２の信号出力部３２と、走査部３３とを有する。
【００２９】
第１の信号出力部３１は、画像表示パネル４０の複数の画素４８のうち、図２に示すＸ軸方向左側のＩ×Ｑ０個（行方向にＩ個（但し１≦Ｉ＜Ｐ０）、垂直方向にＱ０個）の第１の領域４０ａの処理を担当する。第２の信号出力部３２は、画像表示パネル４０の複数の画素４８のうち、図２に示すＸ軸方向右側の（Ｐ０−Ｉ）×Ｑ０個（水平方向に（Ｐ０−Ｉ）個、垂直方向にＱ０個）の第２の領域４０ｂの処理を担当する。すなわち、第１の領域４０ａ及び第２の領域４０ｂは、画像表示パネル４０の分割された領域の一部である。
【００３０】
第１の信号出力部３１と、第２の信号出力部３２とは、半導体集積回路（半導体チップ）であり、例えばＣＯＧ（Chip  On  Glass）である。図４は、画像表示パネルの概略平面図である。画像表示パネル４０は、ＴＦＴ（Thin  Film  Transistor）素子等が形成されたＴＦＴ基板４１と、ＴＦＴ基板４１の主面に対向するように配置された対向基板４２と、を有する。ＴＦＴ基板４１と対向基板４２との間には、液晶が封入されている。ＴＦＴ基板４１は、その主面に垂直な方向から視て対向基板４２と重ならない領域４３を有している。ＣＯＧとしての第１の信号出力部３１と第２の信号出力部３２とは、この領域４３に実装されている。
【００３１】
図３に示されるように、第１の信号出力部３１及び第２の信号出力部３２は、入力部９４と、メモリ９５と、出力部９７とを有する。第１の信号出力部３１は、入力部９４において、信号処理部２１から第１の画像処理信号が入力される。メモリ９５は、例えばＲＡＭ（Random  Access  Memory）である。第１の信号出力部３１は、入力部９４に入力された第１の画像処理信号を、一旦メモリ９５に記憶させる。また、第１の信号出力部３１は、配線ＤＴＬによって画像表示パネル４０と電気的に接続されている。第１の信号出力部３１は、出力部９７において、メモリ９５に記憶させた第１の画像処理信号を読み出し、第１の画像処理信号に応じた所定の電位を有する第１の画像出力信号を、画像表示パネル４０の第１の領域４０ａに出力する。
【００３２】
第２の信号出力部３２は、入力部９４において、信号処理部２１から第２の画像処理信号が入力される。第２の信号出力部３２は、入力部９４に入力された第２の画像処理信号を、一旦メモリ９５に記憶させる。また、第２の信号出力部３２は、配線ＤＴＬによって画像表示パネル４０と電気的に接続されている。第２の信号出力部３２は、出力部９７において、メモリ９５に記憶させた第２の画像処理信号を読み出し、第２の画像処理信号に応じた所定の電位を有する第２の画像出力信号を、画像表示パネル４０の第２の領域４０ｂに出力する。
【００３３】
第１の信号出力部３１と、第２の信号出力部３２とは、電気的に接続されている。実施形態１において、第２の信号出力部３２は、第１の信号出力部３１の基準電位に基づいて、第２の画像出力信号の電位を生成している。すなわち、第１の信号出力部３１と第２の信号出力部３２とは、共通の基準電位に基づいて電位が生成されている。従って、表示装置１０は、第１の画像出力信号の電位と第２の画像出力信号の電位との間に誤差が生じることを抑制し、画質の低下を抑制することができる。
【００３４】
また、表示装置１０は、第１の領域４０ａの処理を担当する第１の信号出力部３１と、第２の領域４０ｂの処理を担当する第２の信号出力部３２と、を備える。これにより、表示装置１０は、半導体チップのピン数の制約がある場合であっても、画像表示パネルの高解像度化に対応することができる。なお、実施形態１に係る表示装置１０は、信号出力部を３つ以上有していてもよい。
【００３５】
なお、本実施形態において、第１の信号出力部３１及び第２の信号出力部３２は、入力部９４と、メモリ９５と、出力部９７とを有するものであったが、それぞれ第１の画像出力信号及び第２の画像出力信号を出力するものであれば、これに限られない。例えば、第１の信号出力部３１及び第２の信号出力部３２は、メモリ９５を有さずに、入力部９４と、出力部９７とを有するものであってもよい。
【００３６】
また、第１の信号出力部３１及び第２の信号出力部３２は、入力部９４と、入力部９４に入力された画像処理信号を圧縮する画像処理信号圧縮部と、画像処理信号圧縮部で圧縮された信号を一時的に記憶するメモリ９５と、メモリ９５に記憶された圧縮された画像処理信号を展開する画像処理信号展開部と、出力部９７とを有していてもよい。この場合、第１の信号出力部３１は、画像処理信号圧縮部により入力部９４に入力された第１の画像処理信号のデータを圧縮してメモリ９５に保存する。そして、第１の信号出力部３１は、画像処理信号展開部によりメモリ９５に保存された圧縮されたデータを展開し、出力部９７により、展開された第１の画像処理信号に応じた所定の電位を有する第１の画像出力信号を、画像表示パネル４０の第１の領域４０ａに出力する。この場合の第２の信号出力部３２も、第１の信号出力部３１と同様の動作を行うため、説明を省略する。
【００３７】
走査部３３は、画像表示パネル４０における副画素の動作（光透過率）を制御するためのスイッチング素子（例えば、ＴＦＴ）のＯＮ／ＯＦＦを制御する。走査部３３は、配線ＳＣＬによって画像表示パネル４０と電気的に接続されている。
【００３８】
面状光源装置６０は、画像表示パネル４０の背面に配置され、画像表示パネル４０に向けて光を照射することで、画像表示パネル４０を照明する。面状光源装置６０は、画像表示パネル４０の全面に光を照射し、画像表示パネル４０を明るくする。
【００３９】
面状光源装置制御部５０は、面状光源装置６０から出力する光の光量等を制御する。具体的には、面状光源装置制御部５０は、信号処理部２１から出力される面状光源装置制御信号に基づいて、面状光源装置６０に供給する電圧等をＰＷＭ（Pulse  Width  Modulation）等で調整することで、画像表示パネル４０を照射する光の光量（光の強度）を制御する。
【００４０】
（信号処理部の処理動作）
次に、図５及び図６を用いて、信号処理部２１で実行する処理動作について説明する。図５は、実施形態１の表示装置で再現可能な再現ＨＳＶ色空間の概念図である。図６は、再現ＨＳＶ色空間の色相と彩度との関係を示す概念図である。
【００４１】
信号処理部２１は、表示する画像の情報である入力信号が外部のアプリケーションプロセッサから入力される。入力信号は、各画素に対して、その位置で表示する画像（色）の情報を入力信号として含んでいる。具体的には、第（ｐ、ｑ）番目の画素（但し、１≦ｐ≦Ｉ，１≦ｑ≦Ｑ０）に対して、信号値がｘ１−（ｐ、ｑ）の第１副画素の入力信号、信号値がｘ２−（ｐ、ｑ）の第２副画素の入力信号、及び、信号値がｘ３−（ｐ、ｑ）の第３副画素の入力信号が含まれる信号が信号処理部２１に入力される。
【００４２】
信号処理部２１は、入力信号を処理することで、第１副画素４９Ｒの表示階調を決定するための第１副画素用の信号としての第１副画素の出力信号（信号値Ｘ１−（ｐ、ｑ））、第２副画素４９Ｇの表示階調を決定するための第２副画素用の信号としての第２副画素の出力信号（信号値Ｘ２−（ｐ、ｑ））、第３副画素４９Ｂの表示階調を決定するための第３副画素用の信号としての第３副画素の出力信号（信号値Ｘ３−（ｐ、ｑ））、及び、第４副画素４９Ｗの表示階調を決定するための第４副画素用の信号としての第４副画素の出力信号（信号値Ｘ４−（ｐ、ｑ））を生成し、画像表示パネル駆動部３０に出力する。
【００４３】
ここで、表示装置１０は、画素４８に第４の色（白色）を出力する第４副画素４９Ｗを備えることで、図５に示すように、ＨＳＶ色空間（再現ＨＳＶ色空間）における明度のダイナミックレンジが広げられている。つまり、図５に示すように、第１副画素、第２副画素及び第３副画素で表示できる円柱形状のＨＳＶ色空間の上に、彩度が高くなるほど明度の最大値が低くなる、彩度軸と明度軸とを含む断面における形状が、斜辺が曲線となる略台形形状となる立体が載っている形状となる。信号処理部２１は、第４の色（白色）を加えることで拡大されたＨＳＶ色空間における彩度Ｓを変数とした明度の最大値Ｖmax（Ｓ）が、信号処理部２１に記憶されている。つまり、信号処理部２１は、図５に示すＨＳＶ色空間の立体形状について、彩度と色相の座標（値）毎に明度の最大値Ｖmax（Ｓ）の値を記憶している。ここで、入力信号は、第１副画素４９Ｒ、第２副画素４９Ｇ及び第３副画素４９Ｂの入力信号で構成されているため、入力信号のＨＳＶ色空間は、円柱形状、つまり、再現ＨＳＶ色空間の円柱形状部分と同じ形状となる。
【００４４】
信号処理部２１は、伸長処理部８５により、少なくとも第１副画素の入力信号（信号値ｘ１−（ｐ、ｑ））及び伸長係数αに基づいて、第１副画素の出力信号（信号値Ｘ１−（ｐ、ｑ））を算出し、少なくとも第２副画素の入力信号（信号値ｘ２−（ｐ、ｑ））及び伸長係数αに基づいて第２副画素の出力信号（信号値Ｘ２−（ｐ、ｑ））を算出し、少なくとも第３副画素の入力信号（信号値ｘ３−（ｐ、ｑ））及び伸長係数αに基づいて第３副画素の出力信号（信号値Ｘ３−（ｐ、ｑ））を算出し、第１副画素の入力信号（信号値ｘ１−（ｐ、ｑ））、第２副画素の入力信号（信号値ｘ２−（ｐ、ｑ））及び第３副画素の入力信号（信号値ｘ３−（ｐ、ｑ））に基づいて第４副画素の出力信号（信号値Ｘ４−（ｐ、ｑ））を算出する。
【００４５】
具体的には、第１副画素の入力信号、伸長係数α及び第４副画素の出力信号に基づいて第１副画素の出力信号を算出し、第２副画素の入力信号、伸長係数α及び第４副画素の出力信号に基づいて第２副画素の出力信号を算出し、第３副画素の入力信号、伸長係数α及び第４副画素の出力信号に基づいて第３副画素の出力信号を算出する。
【００４６】
つまり、信号処理部２１は、χを表示装置に依存した定数としたとき、第（ｐ、ｑ）番目の画素（あるいは、第１副画素４９Ｒ、第２副画素４９Ｇ及び第３副画素４９Ｂの組）への第１副画素の出力信号値Ｘ１−（ｐ、ｑ）、第２副画素の出力信号値Ｘ２−（ｐ、ｑ）及び第３副画素の出力信号値Ｘ３−（ｐ、ｑ）を、以下の式（１），（２），（３）から求める。
Ｘ１−（ｐ、ｑ）＝α・ｘ１−（ｐ、ｑ）−χ・Ｘ４−（ｐ、ｑ）・・・（１）
Ｘ２−（ｐ、ｑ）＝α・ｘ２−（ｐ、ｑ）−χ・Ｘ４−（ｐ、ｑ）・・・（２）
Ｘ３−（ｐ、ｑ）＝α・ｘ３−（ｐ、ｑ）−χ・Ｘ４−（ｐ、ｑ）・・・（３）
【００４７】
信号処理部２１は、第４の色を加えることで拡大されたＨＳＶ色空間における彩度Ｓを変数とした明度の最大値Ｖｍａｘ（Ｓ）を求め、複数の画素４８における副画素４９の入力信号値に基づき、これらの複数の画素４８における彩度Ｓ及び明度Ｖ（Ｓ）を求める。
【００４８】
ここで、彩度Ｓ及び明度Ｖ（Ｓ）は、Ｓ＝（Ｍａｘ−Ｍｉｎ）／Ｍａｘ及びＶ（Ｓ）＝Ｍａｘで表される。彩度Ｓは０から１までの値をとることができ、明度Ｖ（Ｓ）は０から（２ｎ−１）までの値をとることができ、ｎは表示階調ビット数である。また、Ｍａｘは、画素への第１副画素の入力信号値、第２副画素の入力信号値及び第３副画素の入力信号値の３つの副画素の入力信号値の最大値である。Ｍｉｎは、画素への第１副画素の入力信号値、第２副画素の入力信号値及び第３副画素の入力信号値の３つの副画素の入力信号値の最小値である。また、色相Ｈは、図６に示すように０°から３６０°で表される。０°から３６０°に向かって、赤（Ｒｅｄ）、黄（Ｙｅｌｌｏｗ）、緑（Ｇｒｅｅｎ）、シアン（Ｃｙａｎ）、青（Ｂｌｕｅ）、マゼンタ（Ｍａｇｅｎｔａ）、赤となる。実施形態１では、角度０°を含む領域が赤となり、角度１２０°を含む領域が緑となり、角度２４０°を含む領域が青となる。
【００４９】
実施形態１において、信号値Ｘ４−（ｐ、ｑ）は、Ｍｉｎ（ｐ、ｑ）と伸張係数αとの積に基づき求めることができる。具体的には、下記の式（４）に基づいて信号値Ｘ４−（ｐ、ｑ）を求めることができる。式（４）では、Ｍｉｎ（ｐ、ｑ）と伸張係数αとの積をχで除しているが、これに限定するものではない。χについては後述する。
【００５０】
Ｘ４−（ｐ、ｑ）＝Ｍｉｎ（ｐ、ｑ）・α／χ・・・（４）
【００５１】
一般に、第（ｐ、ｑ）番目の画素において、第１副画素４９Ｒの入力信号（信号値ｘ１−（ｐ、ｑ））、第２副画素４９Ｇの入力信号（信号値ｘ２−（ｐ、ｑ））及び第３副画素４９Ｂの入力信号（信号値ｘ３−（ｐ、ｑ））に基づき、円柱のＨＳＶ色空間における彩度（Saturation）Ｓ（ｐ、ｑ）及び明度（Brightness）Ｖ（Ｓ）（ｐ、ｑ）は、次の式（５）、式（６）から求めることができる。
【００５２】
Ｓ（ｐ、ｑ）＝（Ｍａｘ（ｐ、ｑ）−Ｍｉｎ（ｐ、ｑ））／Ｍａｘ（ｐ、ｑ）・・・（５）
【００５３】
Ｖ（Ｓ）（ｐ、ｑ）＝Ｍａｘ（ｐ、ｑ）・・・（６）
【００５４】
ここで、Ｍａｘ（ｐ、ｑ）は、（ｘ１−（ｐ、ｑ）、ｘ２−（ｐ、ｑ）、ｘ３−（ｐ、ｑ））の３個の副画素４９の入力信号値の最大値であり、Ｍｉｎ（ｐ、ｑ）は、（ｘ１−（ｐ、ｑ）、ｘ２−（ｐ、ｑ）、ｘ３−（ｐ、ｑ））３個の副画素４９の入力信号値の最小値である。実施形態１ではｎ＝８とした。すなわち、表示階調ビット数を８ビット（表示階調の値を０から２５５の２５６階調）とした。
【００５５】
白色を表示する第４副画素４９Ｗには、カラーフィルタが配置されていない。第４の色を表示する第４副画素４９Ｗは、同じ光源点灯量で照射された場合、第１の色を表示する第１副画素４９Ｒ、第２の色を表示する第２副画素４９Ｇ、第３の色を表示する第３副画素４９Ｂよりも明るい。第１副画素４９Ｒに第１副画素４９Ｒの出力信号の最大信号値に相当する値を有する信号が入力され、第２副画素４９Ｇに第２副画素４９Ｇの出力信号の最大信号値に相当する値を有する信号が入力され、第３副画素４９Ｂに第３副画素４９Ｂの出力信号の最大信号値に相当する値を有する信号が入力されたときの、画素４８又は画素４８の群が備える第１副画素４９Ｒ、第２副画素４９Ｇ及び第３副画素４９Ｂの集合体の輝度をＢＮ１−３とする。また、画素４８又は画素４８の群が備える第４副画素４９Ｗに、第４副画素４９Ｗの出力信号の最大信号値に相当する値を有する信号が入力されたときの第４副画素４９Ｗの輝度ＢＮ４としたときを想定する。すなわち、第１副画素４９Ｒ、第２副画素４９Ｇ及び第３副画素４９Ｂの集合体によって最大輝度の白色が表示され、この白色の輝度がＢＮ１−３で表される。すると、χを表示装置１０に依存した定数としたとき、定数χは、χ＝ＢＮ４／ＢＮ１−３で表される。
【００５６】
具体的には、第１副画素４９Ｒ、第２副画素４９Ｇ及び第３副画素４９Ｂの集合体に、次の表示階調の値を有する入力信号として、信号値ｘ１−（ｐ、ｑ）＝２５５、信号値ｘ２−（ｐ、ｑ）＝２５５、信号値ｘ３−（ｐ、ｑ）＝２５５が入力されたときにおける白色の輝度ＢＮ１−３に対して、第４副画素４９Ｗに表示階調の値２５５を有する入力信号が入力されたと仮定したときの輝度ＢＮ４は、例えば、１．５倍である。すなわち、実施形態１にあっては、χ＝１．５である。
【００５７】
ところで、信号値Ｘ４−（ｐ、ｑ）が、上述した式（４）で与えられる場合、Ｖｍａｘ（Ｓ）は、次の式（７）、式（８）で表すことができる。
【００５８】
Ｓ≦Ｓ０の場合：
Ｖｍａｘ（Ｓ）＝（χ＋１）・（２ｎ−１）・・・（７）
【００５９】
Ｓ０＜Ｓ≦１の場合：
Ｖｍａｘ（Ｓ）＝（２ｎ−１）・（１／Ｓ）・・・（８）
ここで、Ｓ０＝１／（χ＋１）である。
【００６０】
このようにして得られた、第４の色を加えることによって拡大されたＨＳＶ色空間における彩度Ｓを変数とした明度の最大値Ｖｍａｘ（Ｓ）が、例えば、信号処理部２１に一種のルックアップテ−ブルとして記憶されている。あるいは、拡大されたＨＳＶ色空間における彩度Ｓを変数とした明度の最大値Ｖｍａｘ（Ｓ）は、都度、信号処理部２１において求められる。
【００６１】
このように、信号処理部２１は、信号生成部８１により、第１から第４副画素の出力信号を画像処理信号として生成する。そして、信号処理部２１は、出力部９１により、画素の位置に応じて、第１の画像処理信号又は第２の画像処理信号として、第１の信号出力部３１又は第２の信号出力部３２に出力する。より詳しくは、算出した第１から第４副画素の出力信号に対応する画素が、第１の領域４０ａに対応する場合、信号処理部２１は、出力部９１により、第１から第４副画素の出力信号を、第１の画像処理信号として第１の信号出力部３１に出力する。また、算出した第１から第４副画素の出力信号に対応する画素が、第２の領域４０ｂに対応する場合、信号処理部２１は、出力部９１により、第１から第４副画素の出力信号を、第２の画像処理信号として第２の信号出力部３２に出力する。
【００６２】
次に、第（ｐ、ｑ）番目の画素４８における出力信号である信号値Ｘ１−（ｐ、ｑ）、Ｘ２−（ｐ、ｑ）、Ｘ３−（ｐ、ｑ）、Ｘ４−（ｐ、ｑ）の求め方（伸張処理）を説明する。次の処理は、（第１副画素４９Ｒ＋第４副画素４９Ｗ）によって表示される第１原色の輝度、（第２副画素４９Ｇ＋第４副画素４９Ｗ）によって表示される第２原色の輝度、（第３副画素４９Ｂ＋第４副画素４９Ｗ）によって表示される第３原色の輝度の比を保つように行われる。しかも、色調を保持（維持）するように行われる。さらには、階調−輝度特性（ガンマ特性、γ特性）を保持（維持）するように行われる。また、いずれかの画素４８又は画素４８の群において、入力信号値のすべてが０である場合又は小さい場合、このような画素４８又は画素４８の群を含めることなく、伸張係数αを求めればよい。
【００６３】
（第１工程）
まず、信号処理部２１は、複数の画素４８における副画素４９の入力信号値に基づき、これらの複数の画素４８における彩度Ｓ及び明度Ｖ（Ｓ）を求める。具体的には、第（ｐ、ｑ）番目の画素４８への第１副画素４９Ｒの入力信号である信号値ｘ１−（ｐ、ｑ）、第２副画素４９Ｇの入力信号である信号値ｘ２−（ｐ、ｑ）、第３副画素４９Ｂの入力信号である信号値ｘ３−（ｐ、ｑ）に基づき、式（５）及び式（６）からＳ（ｐ、ｑ）、Ｖ（Ｓ）（ｐ、ｑ）を求める。信号処理部２１は、この処理を、すべての画素４８に対して行う。
【００６４】
（第２工程）
次いで、信号処理部２１は、複数の画素４８において求められたＶｍａｘ（Ｓ）／Ｖ（Ｓ）に基づき伸張係数α（Ｓ）を求める。
【００６５】
α（Ｓ）＝Ｖｍａｘ（Ｓ）／Ｖ（Ｓ）・・・（９）
【００６６】
（第３工程）
次に、信号処理部２１は、第（ｐ、ｑ）番目の画素４８における信号値Ｘ４−（ｐ、ｑ）を、少なくとも、信号値ｘ１−（ｐ、ｑ）、信号値ｘ２−（ｐ、ｑ）及び信号値ｘ３−（ｐ、ｑ）に基づいて求める。実施形態１にあっては、信号処理部２１は、信号値Ｘ４−（ｐ、ｑ）を、Ｍｉｎ（ｐ、ｑ）、伸張係数α及び定数χに基づいて決定する。より具体的には、信号処理部２１は、上述したとおり、信号値Ｘ４−（ｐ、ｑ）を、上記の式（４）に基づいて求める。信号処理部２１は、Ｐ０×Ｑ０個の全画素４８において信号値Ｘ４−（ｐ、ｑ）を求める。
【００６７】
（第４工程）
その後、信号処理部２１は、第（ｐ、ｑ）番目の画素４８における信号値Ｘ１−（ｐ、ｑ）を、信号値ｘ１−（ｐ、ｑ）、伸張係数α及び信号値Ｘ４−（ｐ、ｑ）に基づき求め、第（ｐ、ｑ）番目の画素４８における信号値Ｘ２−（ｐ、ｑ）を、信号値ｘ２−（ｐ、ｑ）、伸張係数α及び信号値Ｘ４−（ｐ、ｑ）に基づき求め、第（ｐ、ｑ）番目の画素４８における信号値Ｘ３−（ｐ、ｑ）を、信号値ｘ３−（ｐ、ｑ）、伸張係数α及び信号値Ｘ４−（ｐ、ｑ）に基づき求める。具体的には、信号処理部２１は、第（ｐ、ｑ）番目の画素４８における信号値Ｘ１−（ｐ、ｑ）、信号値Ｘ２−（ｐ、ｑ）及び信号値Ｘ３−（ｐ、ｑ）を、上記の式（１）〜（３）に基づいて求める。
【００６８】
信号処理部２１は、式（４）に示したとおり、Ｍｉｎ（ｐ、ｑ）の値を伸張係数αによって伸張する。このように、Ｍｉｎ（ｐ、ｑ）の値が伸張係数αによって伸張されることで、白色表示副画素（第４副画素４９Ｗ）の輝度が増加するだけでなく、上記式に示すとおり、赤色表示副画素、緑色表示副画素及び青色表示副画素（それぞれ第１副画素４９Ｒ、第２副画素４９Ｇ及び第３副画素４９Ｂに対応する）の輝度も増加する。このため、色のくすみが発生するといった問題を回避することができる。すなわち、Ｍｉｎ（ｐ、ｑ）の値が伸張されていない場合と比較して、Ｍｉｎ（ｐ、ｑ）の値が伸張係数αによって伸張されることで、画像全体として輝度はα倍となる。したがって、例えば、静止画等の画像表示を高輝度で行うことができ、好適である。
【００６９】
実施形態１の表示装置１０は、第（ｐ、ｑ）番目の画素における信号値Ｘ１−（ｐ、ｑ）、信号値Ｘ２−（ｐ、ｑ）、信号値Ｘ３−（ｐ、ｑ）は、α倍、伸長されている。それ故、伸長されていない状態の画像の輝度と同じ画像の輝度とするためには、面状光源装置６０の輝度を、伸長係数αに基づき減少させれば良い。具体的には、面状光源装置６０の輝度を、（１／αＡ）倍とすれば良い。これによって、面状光源装置６０の消費電力の低減を図ることができる。信号処理部２１は、この（１／α）を面状光源装置制御信号として面状光源装置制御部５０（図１参照）に出力する。
【００７０】
（表示装置の処理動作）
次に、表示装置１０の処理動作の一例について説明する。図７は、実施形態１に係る表示装置の処理動作の一例を示すフローチャートである。表示装置１０は、主に信号処理部２１によって演算処理を実行することで図７に示す処理を実現する。
【００７１】
最初に、信号処理部２１は、入力信号圧縮部７３により、信号処理部２１に入力された入力信号のデータを圧縮して、ＲＡＭ７５に一旦記憶させる（ステップＳ１１）。ここで、実施形態１において、第１副画素、第２副画素及び第３副画素の入力信号はそれぞれ８ビットであるため、入力信号のデータは２４ビットである。入力信号圧縮部７３は、入力信号のデータを１２ビット、すなわち半分に圧縮する。ただし、入力信号圧縮部７３のデータ圧縮量は、これに限られない。
【００７２】
圧縮した入力信号をＲＡＭ７５に記憶させた後に、信号処理部２１は、ＲＡＭ７５から圧縮した入力信号を読み出し、入力信号圧縮部７３にて圧縮されたフォーマットに従い、入力信号展開部７７によりＲＡＭ７５に保存された圧縮された入力信号のデータを展開する（ステップＳ１２）。入力信号展開部７７により展開された入力信号のデータは、２４ビットである。なお、本実施形態において、信号処理部２１はステップＳ１１及びステップＳ１２を実行するが、信号処理部２１は、ステップＳ１１及びステップＳ１２を実行しなくてもよい。
【００７３】
圧縮された入力信号のデータを展開した後に、信号処理部２１は、信号生成部８１により、展開された入力信号の信号値と算出した伸長係数αとに基づいて、画像処理信号を算出する（ステップＳ１３）。具体的には、信号処理部２１は、式（１）から式（９）に基づき、第１副画素の出力信号値Ｘ１−（ｐ、ｑ）、第２副画素の出力信号値Ｘ２−（ｐ、ｑ）、第３副画素の出力信号値Ｘ３−（ｐ、ｑ）及び第４副画素の出力信号値Ｘ４−（ｐ、ｑ）、を、画像処理信号として算出する。
【００７４】
画像処理信号を算出した後に、信号処理部２１は、出力部９１により、画像処理信号に対応する画素４８の位置に基づき、画像処理信号を第１の画像処理信号と第２の画像処理信号とに分配する（ステップＳ１４）。信号処理部２１は、算出した画像処理信号に対応する画素４８が画像表示パネル４０の第１の領域４０ａに属する場合は、画像処理信号を第１の画像処理信号とする。また、信号処理部２１は、算出した画像処理信号に対応する画素４８が画像表示パネル４０の第２の領域４０ｂに属する場合は、画像処理信号を第２の画像処理信号とする。
【００７５】
画像処理信号を第１の画像処理信号と第２の画像処理信号とに分配した後、信号処理部２１は、出力部９１により、第１の画像処理信号を、第１の信号出力部３１に出力する（ステップＳ１５）。
【００７６】
第１の画像処理信号を出力したら、第１の信号出力部３１は、出力部９１により、第１の画像処理信号に応じた所定の電位を有する第１の画像出力信号を、画像表示パネル４０の第１の領域４０ａに出力する（ステップＳ１６）。
【００７７】
また、画像処理信号を第１の画像処理信号と第２の画像処理信号とに分配した後、信号処理部２１は、第２の画像処理信号を第２の信号出力部３２に出力する（ステップＳ１７）。
【００７８】
第２の画像処理信号を出力したら、第２の信号出力部３２は、出力部９７により、第２の画像処理信号に応じた所定の電位を有する第２の画像出力信号を、画像表示パネル４０の第２の領域４０ｂに出力する（ステップＳ１８）。
【００７９】
第１の画像出力信号又は第２の画像出力信号が出力されたら、信号処理部２１は、伸長係数αに基づき、面状光源装置制御部５０に、面状光源装置制御信号を出力する（ステップＳ１９）。信号処理部２１は、（１／α）を面状光源装置制御信号として面状光源装置制御部５０に出力して、面状光源装置６０の出力を調整する。なお、信号処理部２１は、面状光源装置制御信号の出力処理を、第１の画像出力信号又は第２の画像出力信号の出力処理と同時に行ってもよい。
【００８０】
信号処理部２１は、光源の出力を調整したら、画像の表示を終了するかを判定する（ステップＳ２０）。信号処理部２１は、画像の表示を終了しない（ステップＳ２０でＮｏ）と判定した場合、ステップＳ１１に進む。これにより、信号処理部２１は、画像の表示を終了するまで、入力信号（画像）に応じて、伸長係数αを決定し、その伸長係数αに基づいて画像処理信号を生成し、信号の伸長に対応して面状光源装置６０の光量を調整する処理を繰り返す。信号処理部２１は、画像の表示を終了する（ステップＳ２０でＹｅｓ）と判定した場合、本処理を終了する。
【００８１】
このように、実施形態１に係る表示装置１０は、画像表示パネル４０に画像出力信号を出力する信号出力部を複数有し（第１の信号出力部３１、第２の信号出力部３２）、伸長処理を行う信号処理部２１を有する。そして、実施形態１に係る表示装置１０は、信号処理部２１により、複数の信号出力部に第４副画素の出力信号の生成を含めた伸長処理後の信号を出力する。このように、実施形態１に係る表示装置１０は、複数の信号出力部に伸長処理を行わせない。
【００８２】
ここで、第４副画素の出力信号の生成を含めた伸長処理は、画像表示パネル４０の画面全体領域の画像（入力信号）に基づいて行われる。従って、第１の信号出力部３１及び第２の信号出力部３２がそれぞれ伸長処理を行った場合、第１の信号出力部３１及び第２の信号出力部３２は、互いに通信して、互いの対応する領域の入力信号及び伸長係数等のデータを統合させる必要がある。第１の信号出力部３１及び第２の信号出力部３２が通信して互いのデータを統合させた場合、そのデータ処理に時間を有したり、第１の信号出力部３１及び第２の信号出力部３２の処理速度を上げたりする必要がある。第１の信号出力部３１及び第２の信号出力部３２の処理速度を上げることは、コストアップにつながる。特に、第４副画素の出力信号の生成を含めた伸長処理を行う場合、データ数が多くなるため、データ統合にはさらに時間を要する。しかし、実施形態１に係る表示装置１０は、一つの信号処理部２１により画像全体の伸長処理を行い、伸長処理を行った画像処理信号を、領域毎に分配して第１の信号出力部３１及び第２の信号出力部３２に出力する。従って、表示装置１０は、第１の信号出力部３１及び第２の信号出力部３２が通信して互いのデータを統合させる必要がない。そのため、実施形態１に係る表示装置１０は、信号出力部を複数有する場合においても、伸長処理の時間が長くなることを抑制し、または、信号出力部の処理速度を上げる必要がなくなる。
【００８３】
また、信号処理部２１は、信号生成部８１を有していれば、専用の回路でなくてもよく、表示装置１０に接続される任意の回路に組み込むことができる。従って、実施形態１に係る表示装置１０は、信号出力部を複数有する場合においても、容易に伸長処理を行うことができる。
【００８４】
（実施形態２）
次に、本発明の実施形態２について説明する。実施形態２に係る表示装置１０Ａは、画像処理信号のデータを圧縮する点で、実施形態１に係る表示装置１０とは異なる。実施形態２に係る表示装置１０Ａは、その他の点で実施形態１に係る表示装置１０と構成が共通するため、説明を省略する。
【００８５】
図８は、実施形態２に係る信号処理部と第１の信号出力部と第２の信号出力部との構成の概要を示す模式図である。図８に示すように、実施形態２に係る信号処理部２１Ａは、データ圧縮部９３Ａを有する。信号処理部２１Ａは、データ圧縮部９３Ａにおいて、信号生成部８１が生成した画像処理信号のデータを圧縮して、圧縮画像処理信号を生成する。データ圧縮部９３Ａによる画像処理信号の圧縮フォーマットは、例えばＪＰＥＧ（Joint Photographic Experts Group）の非可逆圧縮又は可逆圧縮を用いている。ただし、データ圧縮部９３Ａによる画像処理信号の圧縮フォーマットは、特開２００７−１０８４３９号公報に記載の圧縮フォーマット等、画像処理信号のデータを圧縮するものであれば、任意のものを用いることができる。
【００８６】
信号処理部２１Ａは、算出した第１から第４副画素の出力信号に対応する画素が第１の領域４０ａに対応する場合、出力部９１により、圧縮画像処理信号を、第１の圧縮画像処理信号として第１の信号出力部３１Ａに出力する。また、信号処理部２１Ａは、算出した第１から第４副画素の出力信号に対応する画素が、第２の領域４０ｂに対応する場合、出力部９１により、第１から第４副画素の出力信号を、第２の圧縮画像処理信号として第２の信号出力部３２Ａに出力する。
【００８７】
第１の信号出力部３１Ａ及び第２の信号出力部３２Ａは、データ展開部９６Ａを有する。第１の信号出力部３１Ａは、データ展開部９６Ａにおいて、データ圧縮部９３Ａで圧縮されたフォーマットに従い、メモリ９５から読み出した第１の圧縮画像処理信号のデータを展開する。第１の信号出力部３１Ａは、出力部９７において、展開された第１の圧縮画像処理信号に応じた所定の電位を有する第１の画像出力信号を、画像表示パネル４０の第１の領域４０ａに出力する。
【００８８】
第２の信号出力部３２Ａは、データ展開部９６Ａにおいて、データ圧縮部９３Ａで圧縮されたフォーマットに従い、メモリ９５から読み出した第２の圧縮画像処理信号のデータを展開する。第２の信号出力部３２Ａは、出力部９７において、展開された第２の圧縮画像処理信号に応じた所定の電位を有する第２の画像出力信号を、画像表示パネル４０の第２の領域４０ｂに出力する。
【００８９】
次に、表示装置１０Ａの処理動作の一例について説明する。図９は、実施形態２に係る表示装置の処理動作の一例を示すフローチャートである。
【００９０】
信号処理部２１Ａは、信号生成部８１により、入力信号の信号値と算出した伸長係数αとに基づいて、画像処理信号を算出する（ステップＳ２１）。具体的には、信号処理部２１Ａは、式（１）から式（９）に基づき、第１副画素の出力信号値Ｘ１−（ｐ、ｑ）、第２副画素の出力信号値Ｘ２−（ｐ、ｑ）、第３副画素の出力信号値Ｘ３−（ｐ、ｑ）及び第４副画素の出力信号値Ｘ４−（ｐ、ｑ）、を、画像処理信号として算出する。ここで、各副画素の信号データは８ビットであるため、入力信号のデータは２４ビットであり、画像処理信号のデータは３２ビットである。
【００９１】
画像処理信号を算出したら、信号処理部２１Ａは、データ圧縮部９３Ａにより、算出した画像処理信号のデータを圧縮して、圧縮画像処理信号を生成する（ステップＳ２２）。実施形態２において、信号処理部２１Ａは、データ圧縮部９３Ａにより、画像処理信号の３２ビットのデータを例えば半分に圧縮する。従って、圧縮画像処理信号のデータは１６ビットとなり、入力信号のデータよりも小さいデータ数となる。なお、本実施形態において、信号処理部２１Ａは、データを半分に圧縮させたが、これに限られず、信号処理部２１Ａのデータの圧縮量は任意である。信号処理部２１Ａは、圧縮後のデータのビット数を、圧縮前のデータのビット数以下にすることが好ましい。すなわち、信号処理部２１Ａは、画像処理信号の３２ビットのデータを２４ビット以下に圧縮することが好ましい。
【００９２】
画像処理信号のデータを圧縮したら、信号処理部２１Ａは、出力部９１により、画像処理信号に対応する画素４８の位置に基づき、圧縮画像処理信号を第１の圧縮画像処理信号と第２の圧縮画像処理信号とに分配する（ステップＳ２３）。信号処理部２１Ａは、画像処理信号に対応する画素４８が画像表示パネル４０の第１の領域４０ａに属する場合は、圧縮画像処理信号を第１の圧縮画像処理信号とする。また、信号処理部２１Ａは、画像処理信号に対応する画素４８が画像表示パネル４０の第２の領域４０ｂに属する場合は、圧縮画像処理信号を第２の圧縮画像処理信号とする。
【００９３】
圧縮画像処理信号を第１の圧縮画像処理信号と第２の圧縮画像処理信号とに分配したら、画像処理部２１Ａは、出力部９１により、第１の圧縮画像処理信号を第１の信号出力部３１Ａに出力する（ステップＳ２４）。
【００９４】
第１の圧縮画像処理信号を出力したら、第１の信号出力部３１Ａは、データ展開部９６Ａにより、データ圧縮部９３Ａで圧縮されたフォーマットに従い第１の圧縮画像処理信号のデータを展開する（ステップＳ２５）。ここで、データ展開部９６Ａにより展開された第１の圧縮画像処理信号のデータは、３２ビットとなる。
【００９５】
第１の圧縮画像処理信号のデータを展開したら、第１の信号出力部３１Ａは、出力部９７により、展開した第１の圧縮画像処理信号に応じた所定の電位を有する第１の画像出力信号を、画像表示パネル４０の第１の領域４０ａに出力する（ステップＳ２６）。
【００９６】
また、圧縮画像処理信号を第１の圧縮画像処理信号と第２の圧縮画像処理信号とに分配したら、信号処理部２１Ａは、出力部９１により、第２の圧縮画像処理信号を第２の信号出力部３２Ａに出力する（ステップＳ２７）。すなわち、この場合、信号処理部２１Ａは、画像処理信号に対応する画素４８が画像表示パネル４０の第２の領域４０ｂに属するため、第２の圧縮画像処理信号を第２の信号出力部３２Ａに出力する。
【００９７】
第２の圧縮画像処理信号を出力したら、第２の信号出力部３２Ａは、データ展開部９６Ａにより、データ圧縮部９３Ａで圧縮されたフォーマットに従い第２の圧縮画像処理信号のデータを展開する（ステップＳ２８）。ここで、データ展開部９６Ａにより展開された第２の圧縮画像処理信号のデータは、３２ビットとなる。
【００９８】
第２の圧縮画像処理信号のデータを展開したら、第２の信号出力部３２Ａは、出力部９７により、展開した第２の圧縮画像処理信号に応じた所定の電位を有する第２の画像出力信号を、画像表示パネル４０の第２の領域４０ｂに出力する（ステップＳ２９）。第１の画像出力信号又は第２の画像出力信号を出力すれば、この処理は終了する。
【００９９】
ここで、４色となるように伸長した画像処理信号のデータ量は、入力信号のデータ量よりも大きい。実施形態２においては、上述のように伸長した画像処理信号のデータは３２ビットであり、入力信号のデータは２４ビットである。従って、複数の信号出力部が伸長処理を行った場合、複数の信号出力部間で伸長処理後のデータのやり取りをする必要があるため、複数の信号出力部間の通信帯域が不足する可能性がある。しかし、実施形態２に係る表示装置１０Ａは、信号処理部２１Ａが伸長処理をする。さらに、表示装置１０Ａは、信号処理部２１Ａが伸長した画像処理信号のデータを、入力信号よりも小さいデータに圧縮してから複数の信号出力部に出力している。従って、実施形態２に係る表示装置１０Ａは、信号処理部２１Ａと信号出力部との間の通信帯域が不足することを抑制する。なお、上述のように、表示装置１０Ａは、画像処理信号のデータを、入力信号のデータ以下のビット数にすることが好ましい。ただし、表示装置１０Ａによる画像処理信号のデータ圧縮量は任意である。
【０１００】
（実施形態３）
次に、本発明の実施形態３について説明する。実施形態３に係る表示装置１０Ｂは、画像処理信号のうち第１から第３副画素の出力信号のデータを圧縮する点で、実施形態１に係る表示装置１０とは異なる。実施形態３に係る表示装置１０Ｂは、その他の点で実施形態１に係る表示装置１０と構成が共通するため、説明を省略する。
【０１０１】
図１０は、実施形態３に係る信号処理部と第１の信号出力部と第２の信号出力部との構成の概要を示す模式図である。図１０に示すように、実施形態３に係る信号処理部２１Ｂは、信号生成部８１Ｂと、データ圧縮部９３Ｂとを有する。
【０１０２】
信号生成部８１Ｂとデータ圧縮部９３Ｂとは、信号線１０１Ｒ，１０１Ｇ，１０１Ｂを介して接続されている。データ圧縮部９３Ｂと出力部９１とは、信号線１０２Ｒ，１０２Ｇ，１０２Ｂを介して接続されている。信号生成部８１Ｂと出力部９１とは、信号線１０１Ｗを介して接続されている。
【０１０３】
信号生成部８１Ｂは、伸長処理部８５により第１から第４副画素の出力信号を画像処理信号として生成する。信号生成部８１Ｂは、画像処理信号を、第１副画素の出力信号、第２副画素の出力信号、第３副画素の出力信号及び第４副画素の出力信号に分割して、データ圧縮部９３Ｂおよび出力部９１に出力する。より詳しくは、信号生成部８１Ｂは、第１副画素の出力信号を、信号線１０１Ｒを介して、データ圧縮部９３Ｂに出力する。また、信号生成部８１Ｂは、第２副画素の出力信号を、信号線１０１Ｇを介して、データ圧縮部９３Ｂに出力する。また、信号生成部８１Ｂは、第３副画素の出力信号を、信号線１０１Ｂを介して、データ圧縮部９３Ｂに出力する。また、信号生成部８１Ｂは、第４副画素の出力信号を、信号線１０１Ｗを介して、出力部９１に出力する。
【０１０４】
データ圧縮部９３Ｂは、信号生成部８１Ｂにより入力された第１副画素の出力信号、第２副画素の出力信号及び第３副画素の出力信号のデータを圧縮して、それぞれ圧縮第１副画素処理信号、圧縮第２副画素処理信号及び圧縮第３副画素処理信号を生成する。すなわち、実施形態３においては、信号処理部２１Ｂは、第１から第３副画素の出力信号のみを圧縮する。以下、圧縮第１副画素処理信号、圧縮第２副画素処理信号及び圧縮第３副画素処理信号を区別しない場合は、適宜、圧縮画素処理信号と記載する。データ圧縮部９３Ｂによる画像処理信号の圧縮フォーマットは、例えばＪＰＥＧ（Joint Photographic Experts Group）の非可逆圧縮又は可逆圧縮を用いている。ただし、データ圧縮部９３Ｂによる画像処理信号の圧縮フォーマットは、特開２００７−１０８４３９号公報に記載の圧縮フォーマット等、画像処理信号のデータを圧縮するものであれば、任意のものを用いることができる。
【０１０５】
データ圧縮部９３Ｂは、圧縮第１副画素処理信号を、信号線１０２Ｒを介して出力部９１に出力する。また、データ圧縮部９３Ｂは、圧縮第２副画素処理信号を、信号線１０２Ｇを介して出力部９１に出力する。データ圧縮部９３Ｂは、圧縮第３副画素処理信号を、信号線１０２Ｂを介して出力部９１に出力する。すなわち、データ圧縮部９３Ｂは、圧縮画素処理信号を出力部９１に出力する。
【０１０６】
出力部９１は、入力された圧縮画素処理信号及び第４副画素の出力信号を、画素の位置に基づいて第１の画素処理信号又は第２の画素処理信号として出力する。出力部９１は、第１から第４副画素の出力信号に対応する画素が画像表示パネル４０の第１の領域４０ａに対応する場合、圧縮画素処理信号及び第４副画素の出力信号を、互いに分離させたまま、第１の圧縮画像処理信号及び第１の第４副画素処理信号として第１の信号出力部３１Ｂに出力する。また、出力部９１は、第１から第４副画素の出力信号に対応する画素が画像表示パネル４０の第２の領域４０ｂに対応する場合、圧縮画素処理信号及び第４副画素の出力信号を、互いに分離させたまま、第２の圧縮画像処理信号及び第２の第４副画素処理信号として第２の信号出力部３２Ｂに出力する。
【０１０７】
より詳しくは、出力部９１は、信号線１０３Ｒ，１０３Ｇ，１０３Ｂ，１０２Ｗを介して、第１の信号出力部３１Ｂの入力部９４に接続されている。画素４８が第１の領域４０ａに対応する場合、出力部９１は、信号線１０３Ｒを介して、圧縮第１副画素処理信号を、第１の圧縮第１副画素処理信号として第１の信号出力部３１Ｂの入力部９４に出力する。また、出力部９１は、信号線１０３Ｇを介して、圧縮第２副画素処理信号を、第１の圧縮第２副画素処理信号として第１の信号出力部３１Ｂの入力部９４に出力する。また、出力部９１は、信号線１０３Ｂを介して、圧縮第３副画素処理信号を第１の圧縮第３副画素処理信号として、第１の信号出力部３１Ｂの入力部９４に出力する。また、出力部９１は、信号線１０２Ｗを介して、第４副画素の出力信号を第１の第４副画素処理信号として、第１の信号出力部３１Ｂの入力部９４に出力する。
【０１０８】
また、出力部９１は、信号線１０７Ｒ，１０７Ｇ，１０７Ｂ，１０７Ｗを介して、第２の信号出力部３２Ｂの入力部９４に接続されている。画素４８が第２の領域４０ｂに対応する場合、出力部９１は、信号線１０７Ｒを介して、圧縮第１副画素処理信号を、第２の圧縮第１副画素処理信号として第２の信号出力部３２Ｂの入力部９４に出力する。また、出力部９１は、信号線１０７Ｇを介して、圧縮第２副画素処理信号を、第２の圧縮第２副画素処理信号として第２の信号出力部３２Ｂの入力部９４に出力する。また、出力部９１は、信号線１０７Ｂを介して、圧縮第３副画素処理信号を、第２の圧縮第３副画素処理信号として第２の信号出力部３２Ｂの入力部９４に出力する。また、出力部９１は、信号線１０７Ｗを介して、第４副画素の出力信号を、第２の第４副画素処理信号として第２の信号出力部３２Ｂの入力部９４に出力する。
【０１０９】
第１の信号出力部３１Ｂは、データ展開部９６Ｂを有する。第１の信号出力部３１Ｂの入力部９４とメモリ９５とは、信号線１０４Ｒ，１０４Ｇ，１０４Ｂ，１０３Ｗを介して接続されている。第１の信号出力部３１Ｂのメモリ９５とデータ展開部９６Ｂとは、信号線１０５Ｒ，１０５Ｇ，１０５Ｂを介して接続されている。第１の信号出力部３１Ｂのデータ展開部９６Ｂと出力部９７とは、信号線１０６Ｒ，１０６Ｇ，１０６Ｂを介して接続されている。第１の信号出力部３１Ｂのメモリ９５と出力部９７とは、信号線１０４Ｗを介して接続されている。
【０１１０】
第１の信号出力部３１Ｂのデータ展開部９６Ｂは、入力部９４に入力された第１の圧縮第１副画素処理信号を、信号線１０４Ｒ及び１０５Ｒを介してメモリ９５から読み出す。データ展開部９６Ｂは、データ圧縮部９３Ｂで圧縮されたフォーマットに従い、メモリ９５から読み出した第１の圧縮第１副画素処理信号のデータを展開して、第１の展開第１副画素処理信号を生成する。データ展開部９６Ｂは、入力部９４に入力された第１の圧縮第２副画素処理信号を、信号線１０４Ｇ及び１０５Ｇを介してメモリ９５から読み出す。データ展開部９６Ｂは、データ圧縮部９３Ｂで圧縮されたフォーマットに従い、メモリ９５から読み出した第１の圧縮第２副画素処理信号のデータを展開して、第１の展開第２副画素処理信号を生成する。データ展開部９６Ｂは、入力部９４に入力された第１の圧縮第３副画素処理信号を、信号線１０４Ｂ及び１０５Ｂを介してメモリ９５から読み出す。データ展開部９６Ｂは、データ圧縮部９３Ｂで圧縮されたフォーマットに従い、メモリ９５から読み出した第１の圧縮第３副画素処理信号のデータを展開して、第１の展開第３副画素処理信号を生成する。以下、第１の展開第１副画素処理信号、第１の展開第２副画素処理信号及び第１の展開第３副画素処理信号を区別しない場合は、適宜、第１の展開画像処理信号と記載する。すなわち、データ展開部９６Ｂは、第１の圧縮画像処理信号のデータを展開して、第１の展開画像処理信号を生成する。
【０１１１】
データ展開部９６Ｂは、信号線１０６Ｒを介して、第１の展開第１副画素処理信号を出力部９７に出力する。データ展開部９６Ｂは、信号線１０６Ｇを介して、第１の展開第２副画素処理信号を出力部９７に出力する。データ展開部９６Ｂは、信号線１０６Ｂを介して、第１の展開第３副画素処理信号を出力部９７に出力する。
【０１１２】
出力部９７は、信号線１０３Ｗ及び１０４Ｗを介して、メモリ９５から第１の第４副画素処理信号を読み出す。すなわち、出力部９７は、第１の展開第１副画素処理信号、第１の展開第２副画素処理信号、第１の展開第３副画素処理信号及び第１の第４副画素処理信号が入力される。出力部９７は、第１の展開第１副画素処理信号、第１の展開第２副画素処理信号、第１の展開第３副画素処理信号及び第１の第４副画素処理信号を統合して、第１の画像出力信号として、画像表示パネル４０の第１の領域４０ａに出力する。第２の信号出力部３２Ｂは、第１の信号出力部３１Ｂと同じ構成であるため、説明を省略する。
【０１１３】
次に、表示装置１０Ｂの処理動作の一例について説明する。図１１は、実施形態３に係る表示装置の処理動作の一例を示すフローチャートである。
【０１１４】
信号処理部２１Ｂは、信号生成部８１Ｂにより、入力信号の信号値と算出した伸長係数αとに基づいて、画像処理信号を算出する（ステップＳ３１）。具体的には、信号処理部２１Ｂは、式（１）から式（９）に基づき、第１副画素の出力信号値Ｘ１−（ｐ、ｑ）、第２副画素の出力信号値Ｘ２−（ｐ、ｑ）、第３副画素の出力信号値Ｘ３−（ｐ、ｑ）及び第４副画素の出力信号値Ｘ４−（ｐ、ｑ）、を、画像処理信号として算出する。ここで、各副画素の信号データは８ビットであるため、入力信号のデータは２４ビットであり、伸長後の画像処理信号のデータは３２ビットである。
【０１１５】
画像処理信号を算出したら、信号処理部２１Ｂは、データ圧縮部９３Ｂにより、第１副画素の出力信号、第２副画素の出力信号、第３副画素の出力信号のデータを圧縮して、圧縮第１副画素処理信号、圧縮第２副画素処理信号及び圧縮第３副画素処理信号（圧縮画像処理信号）を生成する（ステップＳ３２）。実施形態３において、信号処理部２１Ｂは、データ圧縮部９３Ｂにより、第１から第３副画素の出力信号のデータを、例えば半分に圧縮する。従って、実施形態３において、信号処理部２１Ｂは、第１から第３副画素の出力信号の計２４ビット（各８ビット）のデータを、計１２ビット（各４ビット）に圧縮する。なお、信号処理部２１Ｂは、圧縮画像処理信号と第４副画素の出力信号とを合わせたビット数が、入力信号のビット数以下にすることが好ましい。従って、実施形態３においては、信号処理部２１Ｂは、圧縮画像処理信号のデータを１６ビット以下にすることが好ましい。ただし、信号処理部２１Ｂによるデータ圧縮量は任意である。
【０１１６】
画像処理信号のデータを圧縮したら、信号処理部２１Ｂは、出力部９１において、画素の位置に基づき、圧縮画像処理信号及び第４副画素の出力信号を、互いに分離させたまま、第１の圧縮画像処理信号及び第１の第４副画素処理信号と、第２の圧縮画像処理信号及び第２の第４副画素処理信号とに分配する（ステップＳ３３）。信号処理部２１Ｂは、出力部９１において、伸長処理した画素が画像表示パネル４０の第１の領域４０ａに属する場合は、圧縮画像処理信号及び第４副画素の出力信号を、第１の圧縮画像処理信号及び第１の第４副画素処理信号とする。また、信号処理部２１Ｂは、出力部９１において、伸長処理した画素が画像表示パネル４０の第２の領域４０ｂに属する場合は、圧縮画像処理信号及び第４副画素の出力信号を、第２の圧縮画像処理信号及び第２の第４副画素処理信号とする。
【０１１７】
圧縮画像処理信号及び第４副画素の出力信号を分配した後、信号処理部２１Ｂは、出力部９１において、第１の圧縮画像処理信号及び第１の第４副画素処理信号を、互いを分離させたまま、第１の信号出力部３１Ｂに出力する（ステップＳ３４）。信号処理部２１Ｂは、第１の信号出力部３１Ｂに、１２ビットの第１の圧縮画像処理信号と８ビットの第１の第４副画素処理信号とを合わせた、計２０ビットのデータを出力する。
【０１１８】
第１の圧縮画像処理信号及び第１の第４副画素処理信号を出力したら、第１の信号出力部３１Ｂは、データ展開部９６Ｂにおいて、データ圧縮部９３Ｂで圧縮されたフォーマットに従い、第１の圧縮画像処理信号のデータを展開して、第１の展開画像処理信号を生成する（ステップＳ３５）。第１の展開画像処理信号のデータは、第１から第３副画素の入力信号と同じ２４ビットとなる。
【０１１９】
第１の圧縮画像処理信号のデータを展開したら、第１の信号出力部３１Ｂは、出力部９７において、第１の展開画像処理信号と第１の第４副画素処理信号とを統合して、第１の画像出力信号を、画像表示パネル４０の第１の領域４０ａに出力する（ステップＳ３６）。
【０１２０】
また、圧縮画像処理信号及び第４副画素の出力信号を分配した後、信号処理部２１Ｂは、出力部９１において、第２の圧縮画像処理信号及び第２の第４副画素処理信号を、互いに分離させたまま、第２の信号出力部３２Ｂに出力する（ステップＳ３７）。信号処理部２１Ｂは、第２の信号出力部３１Ｂに、１２ビットの第２の圧縮画像処理信号と８ビットの第２の第４副画素処理信号とを合わせた、計２０ビットのデータを出力する。
【０１２１】
第２の圧縮画像処理信号及び第２の第４副画素処理信号を出力したら、第２の信号出力部３２Ｂは、データ展開部９６Ｂにおいて、データ圧縮部９３Ｂで圧縮されたフォーマットに従い、第２の圧縮画像処理信号のデータを展開して、第２の展開画像処理信号を生成する（ステップＳ３８）。第２の展開画像処理信号のデータは、第１から第３副画素の入力信号と同じ２４ビットとなる。
【０１２２】
第２の圧縮画像処理信号のデータを展開したら、第２の信号出力部３２Ｂは、出力部９７において、第２の展開画像処理信号と第２の第４副画素処理信号とを統合して、第２の画像出力信号を、画像表示パネル４０の第２の領域４０ｂに出力する（ステップＳ３９）。第１の画像出力信号又は第２の画像出力信号を出力したら、この処理は終了する。
【０１２３】
実施形態３に係る表示装置１０Ｂは、実施形態２と同様に、信号処理部２１Ｂにおいて、伸長した画像処理信号のデータを、入力信号のデータ数以下に圧縮してから複数の信号出力部に出力している。従って、実施形態２に係る表示装置１０Ａは、信号処理部２１Ａと信号出力部との間の通信帯域が不足することを抑制する。
【０１２４】
また、実施形態３に係る表示装置１０Ｂは、第１から第３副画素の出力信号のみを圧縮している。実施形態３に係る表示装置１０Ｂは、第４副画素の出力信号を圧縮しないため、データ圧縮処理による画像の劣化を抑制することができる。特に、実施形態３においては、第４副画素は白色である。白色は画像の輝度への影響が高いため、実施形態３に係る表示装置１０Ｂは、第４副画素の出力信号を圧縮しないことにより、より好適に画像の劣化を抑制することができる。また、実施形態３に係る表示装置１０Ｂは、赤色、緑色、青色に対応する第１、第２、第３副画素のデータを圧縮している。従って、実施形態３に係る表示装置１０Ｂは、公知の圧縮技術を適用してデータを圧縮することができるため、容易にデータ圧縮を行うことができる。ただし、上述のように、信号処理部２１Ｂによるデータ圧縮量は任意であり、また、どの副画素の出力信号を圧縮するかの選択も任意である。例えば、表示装置１０Ｂは、第１から第３副画素のいずれかの出力信号のみ圧縮してもよい。
【０１２５】
また、実施形態３に係る表示装置１０Ｂは、複数の信号線を設けることにより、第１から第４副画素の出力信号を分割して出力している。従って、実施形態３に係る表示装置１０Ｂは、一部の副画素だけのデータ圧縮を容易に行うことができる。なお、実施形態３に係る表示装置１０Ｂは、第１から第４副画素の出力信号のそれぞれを異なる信号線で出力したが、これに限られない。表示装置１０Ｂは、例えば第１から第３副画素の出力信号を一つの信号線で出力し、圧縮しない第４副画素の出力信号だけを別の信号線で出力してもよい。
【０１２６】
（適用例）
次に、図１２〜図２５を参照して、上記実施の形態に係る表示装置１０及び当該表示装置１０を制御する制御装置を備えた電子機器について説明する。図１２〜図２５は、実施形態１に係る表示装置を備えた電子機器の一例を示す図である。表示装置１０は、テレビジョン装置、ディジタルカメラ、ノート型パーソナルコンピュータ、携帯電話機等の携帯端末装置又はビデオカメラなどのあらゆる分野の電子機器に適用することが可能である。言い換えると、表示装置１０は、外部から入力された映像信号又は内部で生成した映像信号を、画像又は映像として表示するあらゆる分野の電子機器に適用することが可能である。これらの電子機器は、表示装置１０に入力信号を供給する制御装置を有している。
【０１２７】
（適用例１）
図１２に示す電子機器は、表示装置１０が適用されるテレビジョン装置である。このテレビジョン装置は、例えば、フロントパネル５１１及びフィルターガラス５１２を含む映像表示画面部５１０を有しており、この映像表示画面部５１０に、表示装置１０が適用される。このテレビジョン装置の画面は、画像を表示する機能の他に、タッチ動作を検出する機能を有している。 
【０１２８】
（適用例２）
図１３及び図１４に示す電子機器は、表示装置１０が適用されるディジタルカメラである。このディジタルカメラは、例えば、フラッシュ用の発光部５２１、表示部５２２、メニュースイッチ５２３及びシャッターボタン５２４を有しており、その表示部５２２には、表示装置１０が適用されている。したがって、このディジタルカメラの表示部５２２は、画像を表示する機能の他に、タッチ動作を検出する機能を有している。 
【０１２９】
（適用例３）
図１５に示す電子機器は、表示装置１０が適用されるビデオカメラの外観を表すものである。このビデオカメラは、例えば、本体部５３１、この本体部５３１の前方側面に設けられた被写体撮影用のレンズ５３２、撮影時のスタート／ストップスイッチ５３３及び表示部５３４を有している。そして、表示部５３４には、表示装置１０が適用されている。したがって、このビデオカメラの表示部５３４は、画像を表示する機能の他に、タッチ動作を検出する機能を有している。 
【０１３０】
（適用例４）
図１６に示す電子機器は、表示装置１０が適用されるノート型パーソナルコンピュータである。このノート型パーソナルコンピュータは、例えば、本体５４１、文字等の入力操作のためのキーボード５４２及び画像を表示する表示部５４３を有している。表示部５４３は、表示装置１０が適用されている。このため、このノート型パーソナルコンピュータの表示部５４３は、画像を表示する機能の他に、タッチ動作を検出する機能を有している。 
【０１３１】
（適用例５）
図１７〜図２３に示す電子機器は、表示装置１０が適用される携帯電話機である。この携帯電話機は、例えば、上側筐体５５１と下側筐体５５２とを連結部（ヒンジ部）５５３で連結したものであり、ディスプレイ５５４、サブディスプレイ５５５、ピクチャーライト５５６及びカメラ５５７を有している。そのディスプレイ５５４は、表示装置１０が取り付けられている。このため、この携帯電話機のディスプレイ５５４は、画像を表示する機能の他に、タッチ動作を検出する機能を有している。 
【０１３２】
（適用例６）
図２４に示す電子機器は、表示装置１０等が適用される、いわゆるスマートフォンと呼ばれる携帯電話機である。この携帯電話機は、例えば略長方形の薄板状の筐体５６１の表面部にタッチパネル５６２を有している。このタッチパネル５６２は、表示装置１０等を備えている。 
【０１３３】
（適用例７）
図２５に示す電子機器は、車両に搭載されるメータユニットである。図２５に示すメータユニット（電子機器）５７０は、燃料計、水温計、スピードメータ、タコメータ等、複数の液晶表示装置５７１を備えている。そして、複数の液晶表示装置５７１は、ともに、一枚の外装パネル５７２に覆われている。 
【０１３４】
図２５に示す液晶表示装置５７１それぞれは、液晶表示手段としての液晶パネル５７３及びアナログ表示手段としてのムーブメント機構を互いに組み合わせた構成となっている。当該ムーブメント機構は、駆動手段としてのモータと、モータにより回転される指針５７４とを有している。そして、図２５に示すように、液晶表示装置５７１では、液晶パネル５７３の表示面に目盛表示、警告表示等を表示することができるとともに、ムーブメント機構の指針５７４が液晶パネル５７３の表示面側において回転することが可能となっている。本実施の形態に係る表示装置１０は液晶表示装置５７１に適用される。 
【０１３５】
なお、図２５では、一枚の外装パネル５７２に複数の液晶表示装置５７１を設けた構成としたが、これに限定されない。外装パネルによって囲まれた領域に１つの液晶表示装置を設け、当該液晶表示装置に燃料計、水温計、スピードメータ、タコメータ等を表示させてもよい。
【０１３６】
以上、本発明の実施形態を説明したが、これらの実施形態の内容によりこれらの実施形態が限定されるものではない。また、前述した構成要素には、当業者が容易に想定できるもの、実質的に同一のもの、いわゆる均等の範囲のものが含まれる。さらに、前述した構成要素は適宜組み合わせることが可能である。さらに、前述した実施形態等の要旨を逸脱しない範囲で構成要素の種々の省略、置換又は変更を行うことができる。
【符号の説明】
【０１３７】
１０  表示装置
２１  信号処理部
３０  画像表示パネル駆動部
３１  第１の信号出力部
３２  第２の信号出力部
３３  走査部
４０  画像表示パネル
４８  画素
４９  副画素
４９Ｒ  第１副画素
４９Ｇ  第２副画素
４９Ｂ  第３副画素
４９Ｗ  第４副画素
５０  面状光源装置制御部
６０  面状光源装置
７１  入力部
８１  信号生成部
９１  出力部
９３Ａ，９３Ｂ  データ圧縮部
９４  入力部
９５  メモリ
９６Ａ，９６Ｂ  データ展開部
９７  出力部
【図１】
2015210445.tif 000003
【図２】
2015210445.tif 000004
【図３】
2015210445.tif 000005
【図４】
2015210445.tif 000006
【図５】
2015210445.tif 000007
【図６】
2015210445.tif 000008
【図７】
2015210445.tif 000009
【図８】
2015210445.tif 000010
【図９】
2015210445.tif 000011
【図１０】
2015210445.tif 000012
【図１１】
2015210445.tif 000013
【図１２】
2015210445.tif 000014
【図１３】
2015210445.tif 000015
【図１４】
2015210445.tif 000016
【図１５】
2015210445.tif 000017
【図１６】
2015210445.tif 000018
【図１７】
2015210445.tif 000019
【図１８】
2015210445.tif 000020
【図１９】
2015210445.tif 000021
【図２０】
2015210445.tif 000022
【図２１】
2015210445.tif 000023
【図２２】
2015210445.tif 000024
【図２３】
2015210445.tif 000025
【図２４】
2015210445.tif 000026
【図２５】
2015210445.tif 000027